(57)【要約】      （修正有）【課題】エレベーター保守作業の際、無用な騒音の発生を防ぐ技術を提供する。【解決手段】エレベーターの保守作業の際に報知する報知システムであって、それぞれが、各階のエレベーターホールを照らす照明装置と、通知装置３と、乗りかごの現在の停止位置に応じた階の照明装置が点灯状態である場合、前記通知装置を作動させる制御部と、を有する。また制御部は、乗りかごの現在の停止位置に応じた階の照明装置が点灯状態であり、且つエレベーターのハッチドアが開錠した場合、前記通知装置３を作動させる。【選択図】図１
2020090387.tif 000002
【特許請求の範囲】
【請求項１】
エレベーターの保守作業の際に報知する報知システムであって、
それぞれが、各階のエレベーターホールを照らす照明装置と、
通知装置と、
乗りかごの現在の停止位置に応じた階の照明装置が点灯状態である場合、前記通知装置を作動させる制御部と、
を有する報知システム。
【請求項２】
請求項１に記載の報知システムにおいて、
各階のエレベーターホールにそれぞれ設置されるセンサであり、人の立ち入りを検出すると、この検出と連動して前記照明装置を点灯させる人感センサを有し、
前記制御部は、前記人感センサの検出信号を取得し、当該検出信号に基づき、前記通知装置を作動させることを特徴とする報知システム。
【請求項３】
請求項１に記載の報知システムにおいて、
前記エレベーターのハッチドアの開錠を検出するハッチドア開錠検出装置を有し、
前記制御部は、乗りかごの現在の停止位置に応じた階の照明装置が点灯状態であり、且つ前記ハッチドアが開錠した場合、前記通知装置を作動させることを特徴とする報知システム。
【請求項４】
請求項３に記載の報知システムにおいて、
前記通知装置は、前記ハッチドアが開錠しない場合、作動しないことを特徴とする報知システム。
【請求項５】
エレベーターの保守作業の際に報知する報知システムであって、
各階のエレベーターホールにそれぞれ設置される、人の立ち入りを検出する人感センサと、
通知装置と、
前記人感センサの検出信号を取得する制御部であり、乗りかごの現在の停止位置に応じた階の人感センサが人の立ち入りを検出する場合、前記通知装置を作動させる制御部と、
を有する報知システム。
【請求項６】
請求項５に記載の報知システムにおいて、
前記エレベーターのハッチドアの開錠を検出するハッチドア開錠検出装置を有し、
前記制御部は、乗りかごの現在の停止位置に応じた階の人感センサが人の立ち入りを検出しており、且つ前記ハッチドアが開錠した場合、前記通知装置を作動させることを特徴とする報知システム。
【発明の詳細な説明】
【技術分野】
【０００１】
本発明は、エレベーターの保守作業時における安全性の向上を図る技術に関する。
【背景技術】
【０００２】
エレベーターの保守作業の中には、エレベーターの乗りかごの上に保守作業者が乗り、各種点検や整備を行う項目がある。このような項目の中には、利用者が乗り降りするためのハッチドアを、エレベーター内部から開放する点検も含まれている。このハッチドアが開き状態の際、利用者が駆け込んで誤って乗り込まないように、保守作業中であることを利用者に報知するのが好ましい。
【０００３】
この種の技術として、エレベーターのかごに設けられた報知装置と、かごに設けられたドア制御装置と、保守作業者が操作するためのドアスイッチと、ドアスイッチが投入されているときに、かごがドアゾーンに配置されると、所定の開放条件に基づいてドア駆動装置を制御し、エレベーターのドアを開放させる制御手段を備え、制御手段は、かごがドアゾーンに配置されているときにドアスイッチが遮断状態から投入されると、報知装置から所定の報知を行わせてドアを開放するエレベーターの制御装置が知られている（例えば特許文献１）。
【先行技術文献】
【特許文献】
【０００４】
【特許文献１】特開２０１３−６６４８号公報
【発明の概要】
【発明が解決しようとする課題】
【０００５】
従来のエレベーター制御装置では、利用者がエレベーターホールにいるか否かに関わらず報知動作を行うため、無用な騒音などを発生させ、騒音クレームとなる懸念がある。
【０００６】
本発明は、無用な騒音の発生を防ぐ技術を提供することを目的とする。
【課題を解決するための手段】
【０００７】
本発明に係る報知システムは、エレベーターの保守作業の際に報知する報知システムであって、それぞれが、各階のエレベーターホールを照らす照明装置と、通知装置と、乗りかごの現在の停止位置に応じた階の照明装置が点灯状態である場合、前記通知装置を作動させる制御部と、を有する。
【発明の効果】
【０００８】
本発明によれば、無用な騒音の発生を防ぐことができる。
上記した以外の課題、構成および効果は、以下の実施形態の説明により明らかにされる。
【図面の簡単な説明】
【０００９】
【図１】実施形態に係る報知システムの構成例を示すブロック図である。
【図２】実施形態に係るエレベーターの全体構成例を示す概念図である。
【図３】実施形態に係る報知システムの動作例を示すフローチャートである。
【図４】実施形態に係る報知システムを適用した際の具体例を説明する図である。
【図５】実施形態に係る制御装置のハードウェア構成例を示す図である。
【発明を実施するための形態】
【００１０】
以下、実施形態に係る報知システムについて、図を用いて詳細に説明する。まず、報知システムの機能構成について図１を用いて説明する。
【００１１】
本発明に係る報知システム１００は、エレベーターの乗りかごの位置を検出するかご位置検出装置１と、ハッチドアの施錠状態もしくは開錠状態を検出するハッチドア開錠検出装置２とを有する。報知システム１００は、ブザーなどを構成に含み、ブザーを鳴動させることで保守作業者および利用者に通知する通知装置３と、乗りかごの上で保守作業者が乗りかごの上下動を操作するためのかご上エレベーター操作装置４とを有する。
【００１２】
また報知システム１００は、各階のエレベーター乗り場（以下、エレベーターホールもしくは単にホールと称する）に設けられた照明装置２１（２１ａ、２１ｂ、２１ｃ、・・・、２１ｎ）と、照明装置２１の点灯、消灯を制御するために用いられる、各階に設けられる人感センサ５（５ａ、５ｂ、５ｃ、・・・、５ｎ）を有する。人感センサ５は、人がホールに立ち入っているかを検出し、この検出と連動して照明装置２１を点灯させる。尚、照明装置２１、人感センサ５は、既設のものを用いてもよい。
【００１３】
また報知システム１００は、記憶部７ａ、演算部７ｂ、通信部７ｃを有する制御装置７（制御部）と、各階の人感センサ５の検出状態や照明装置２１の点灯／消灯状態を制御装置７に送信するための通信装置６とを有する。
【００１４】
次に、本実施形態に係る報知システム１００を適用したエレベーターの全体概要について、図２を用いて以下説明する。
【００１５】
エレベーター２００は、利用者Ａの乗り込む乗りかご８と、乗りかご８と主ロープ９で接続された釣合い錘１０と、主ロープ９が巻きかけられ乗りかご８と釣合い錘１０の上下動を制御する巻き上げ機１１とを有する。またエレベーター２００は、巻き上げ機１１に取り付けられたかご位置検出装置１と、乗りかご８や釣合い錘１０が走行する昇降路１２とを有する。エレベーター２００は、各階のエレベーターホール１３と昇降路１２を区分けするように設けられ、乗りかご８が当該階に不在の時に利用者Ａの乗り込みを遮るためのハッチドア１４を有する。
【００１６】
エレベーター２００は、ハッチドア１４の閉状態を維持するための図示しないハッチドア施錠装置と、ハッチドア１４が開錠状態にあることを検出するハッチドア開錠検出装置２と、保守作業時に保守作業者Ｂが乗りかご８の上でかごの上下動を操作するためのかご上エレベーター操作装置４と、ブザー鳴動などにより保守作業者Ｂや利用者Ａに状態を通知する通知装置３とを有する。
【００１７】
またエレベーター２００は、各階それぞれのエレベーターホールに設けられる照明装置２１と、各階に設置され、赤外線などを照射して利用者のホール内の立ち入りを検出し、利用者がいる場合は照明装置２１を点灯させる人感センサ５とを有する。エレベーター２００は、配線３０１を介して人感センサ５の検出信号を入力し、配線３０３を介して検出信号を制御装置７に送信する通信装置６を有する。
【００１８】
通信装置６は、配線３０２を介して照明装置２１とも接続しており、照明装置２１のオン／オフ信号を照明装置２１から入力する。エレベーターホール内の利用者の立ち入り検出を人感センサ５で行わない場合、本実施形態の報知システム１００は、照明装置２１が利用者の手動によりオン（点灯）となった場合に、これを検出して利用者がホール内にいるものと扱うことができる。すなわち、人感センサ５を用いない構成において、報知システム１００は、照明装置２１がオンとなった階には利用者がホール内にいるものと扱い、一方、オフとなっている階には、利用者がホール内にいないものと扱うことが可能となる。
【００１９】
本実施形態では、物理的な有線ケーブルである配線３０１〜３０３で相互に接続されるものとして説明するが、これに代えて無線通信としてもよい。物理的な有線ケーブルを用いる場合、付設するのに施設の壁に孔をあけるなどが必要となるが、無線通信とすることで、このような問題を抑制することができる。
【００２０】
引き続き、報知システム１００の動作例について図３を用いて説明する。尚、図３に示すフローチャートは、保守作業者が、エレベーター２００を保守運転に切り替え、乗りかご８の上でかごの運転操作を可能とするかご上保守スイッチを投入した場合に実施される。また図３のフローチャートでは、人感センサ５を用いて、利用者がエレベーターホールに立ち入っているか否かを検出するものとして説明する。
【００２１】
まず制御装置７は、保守作業者が乗りかご８の上に乗り込み、かご上エレベーター操作装置４を操作し、乗りかご８を走行させて停止したかを判定し（Ｓ００１）、停止するまで処理を待機させる（Ｓ００１−Ｎｏのループ）。制御装置７が乗りかご８の停止を検出すると（Ｓ００１−Ｙｅｓ）、制御装置７は、乗りかご８の現在の停止位置を、かご位置検出装置１より取得する（Ｓ００２）。
【００２２】
制御装置７は、乗りかご８の現在の停止位置が、かご上から保守作業者が乗降可能な位置であるかを、予め与えられた階床情報と比較することで判定する（Ｓ００３）。かご上からの乗降可能な位置にかごが停止している場合（Ｓ００３−Ｙｅｓ）、制御装置７は、当該位置での作業が終了して再度走行開始となるか（Ｓ００４）、もしくは保守作業者がハッチドア１４の開錠操作を行うかを判定し（Ｓ００５）、これらが行われるまで待機する（Ｓ００４−ＮｏおよびＳ００５−Ｎｏのループ）。
【００２３】
かご位置がかご上からの乗降可能範囲外であったり（Ｓ００３−Ｎｏ）、再度走行開始したりした場合（Ｓ００４−Ｙｅｓ）、処理はステップＳ００１へ戻り、エレベーターの乗りかご８が停止するまで待機する（Ｓ００１−Ｎｏのループ）。
【００２４】
ハッチドア開錠検出装置２がハッチドア１４の開錠を検出した場合（Ｓ００５−Ｙｅｓ）、制御装置７は、通信装置６を介してエレベーターホールの人感センサ５の動作状態を取得し（Ｓ００６）、乗りかご８の現在位置と人感センサ５の動作階とが一致するかを判定する（Ｓ００７）。一致した場合（Ｓ００７−Ｙｅｓ）、制御装置７は、通知装置３を作動させて一定時間ブザーを鳴動させ、保守作業者へホールに利用者がいることを通知する（Ｓ００８）。この鳴動により、利用者も、当該エレベーターが保守作業を行っていることを認知することができる。
【００２５】
その後、ハッチドア開錠検出装置２がハッチドア１４の施錠を検出すると（Ｓ００９−Ｙｅｓ）、処理はステップＳ００４に戻る。このようにステップＳ００４に処理を戻すことで、同じ階でハッチドア１４が施錠状態から再度開錠するまでの間に利用者がホールに立ち入った場合、通知装置３はブザー鳴動を行う。
【００２６】
ステップＳ００９において、ハッチドア１４が開錠状態のまま（Ｓ００９−Ｎｏ）、かご上保守スイッチがオフとなった場合（Ｓ０１０−Ｙｅｓ）、制御装置７は、保守作業が終了して保守作業者が乗りかご８の上から降りたものとして扱い、処理を終了する。一方、ステップＳ０１０において、かご上保守スイッチがオンのままである場合（Ｓ０１０−Ｎｏ）、処理はステップＳ００９の施錠判定に戻る。
【００２７】
上記動作に基づきブザー鳴動を行う場合の具体例を、図４を用いて以下に説明する。図４の説明に際し、図３も必要に応じて参照される。
【００２８】
図４のグラフは、かご位置の時間遷移を示すかご位置グラフ１５と、各階における人感センサ５の検出状況を示す人感センサ動作状態グラフ１６と、ハッチドア１４の開錠状態を示すハッチドア状態グラフ１７と、通知装置３のブザー鳴動状態を示すブザー鳴動状態グラフ１８とを示している。また、すべて同一の時間軸Ｔを横軸にとり、処理開始後を原点としている。
【００２９】
かご位置グラフ１５は、縦軸にかご位置をとったグラフであり、エレベーター停止時に乗りかご８の上から乗降することができる各階ごとの範囲を、斜線部１９ａ〜１９ｄで示している。
【００３０】
人感センサ動作状態グラフ１６は、縦軸に人感センサ５の検出信号を取り、各階の人感センサ５の動作状態を信号の高低で示している。人感センサ動作状態グラフ１６において信号が高位にあるとき、人感センサ５が利用者を検出しているものとする。尚、１６ａと１９ａ、１６ｂと１９ｂ、１６ｃと１９ｃ、１６ｄと１９ｄが同一階床であるものとして表されている。
【００３１】
ハッチドア状態グラフ１７は、縦軸にハッチドア開錠検出装置２の検出信号を高低で示しており、信号が高位にあるときハッチドア１４が開錠していることを示している。
【００３２】
ブザー鳴動状態グラフ１８は、縦軸に通知装置３の動作信号を取り、信号が高位にあるとき通知装置３が作動してブザーが鳴動状態であることを示している。
【００３３】
以下、図４に示すＴ１〜Ｔ５の各状態について説明する。尚、Ｔ１〜Ｔ５以外はエレベーターの乗りかご８は走行中であり、処理はステップＳ００１の待機状態（Ｓ００１−Ｎｏのループ）となっている。
【００３４】
まずＴ１においては、処理開始の直後であることから、エレベーターが走行していないため、ステップＳ００１で処理は待機し、ブザー鳴動は行われない。保守作業の開始階では、通常、保守作業を行っていることを示す柵などがハッチドア１４の近傍に設けられている。よって、利用者は柵を確認することで、保守作業中であると判断することができるため、通知装置３によるブザー鳴動が行われなくても、その影響は限定的である。これとは逆に、例えば超高層ビルで保守作業前に全ての階に柵を設けるのは、保守作業者の負担となることから、途中階では柵などが設けられないケースが多い。よって本実施形態では、途中階においては、エレベーターホールに利用者がいる場合は、利用者が誤って乗り込まないようにするため、ドア開放前に鳴動させるものとする。
【００３５】
次にＴ２においては、エレベーター走行後（Ｓ００１−Ｙｅｓ）、乗降可能位置１９の範囲外で停止しているため、ステップＳ００３の判定でステップＳ００１へ戻り、処理は待機状態となる。よって、Ｔ２においてもブザー鳴動は行われない。
【００３６】
Ｔ３では、エレベーター走行後（Ｓ００１−Ｙｅｓ）、乗りかご８の上へ乗降することが可能な位置（１９ｂ）に停止し（Ｓ００３−Ｙｅｓ）、Ｔ３’でハッチドア１４が開錠され（Ｓ００５、グラフ１７）、且つ、かご停止階の人感センサ５が動作している（Ｓ００６、Ｓ００７−Ｙｅｓ、グラフ１６ｂ）。よって、処理はステップＳ００８まで進み、一定時間ブザーが鳴動する。このブザー鳴動により、保守作業者に対して、エレベーターホールに利用者がいることを報知するとともに、利用者に対して、エレベーターが保守作業中であり、これからハッチドア１４が開放することを報知する。
【００３７】
ここで、ハッチドア１４が開放するに至るまでの動作やブザー鳴動のタイミングについて補足説明する。ハッチドア１４を開放するには、まず保守作業者が施錠を解くため開錠操作を行い、その後、保守作業者が手動で扉をスライドさせることで、ハッチドア１４が開放状態となる。この開錠操作からドア開放までの間には、作業上少なからずタイムラグが発生し、開錠操作から暫く経ってからドア開放となる。一方、本実施形態においては、開錠の検出（Ｓ００５）からブザー鳴動（Ｓ００８）までの処理は、瞬間的に行われるため、開錠と同時にブザー鳴動となる。このような態様であることから、利用者は、開錠の瞬間に（すなわちドア開放前に）、これからハッチドア１４が開放されることをブザー鳴動により知ることができる。よって利用者は、ドア開放の際に駆け込むことを自らで制止するようになる。一方保守作業者は、ブザー鳴動を確認することで利用者がホールにいることをドア開放前に知ることができ、注意を払いながらハッチドア１４の開放を行うことができる。
【００３８】
引き続き図４の説明に戻る。Ｔ３において、その後ハッチドア１４が施錠され（Ｓ００９−Ｙｅｓ、グラフ１７）、エレベーターが再度走行開始となると（Ｓ００４−Ｙｅｓ）、ステップＳ００１に戻り、処理は待機状態となる（Ｓ００１−Ｎｏのループ）。
【００３９】
次にＴ４の前段部Ｔ４’では、エレベーターは、乗りかご８の上に乗降可能な位置（１９ｃ）に停止し（Ｓ００１−Ｙｅｓ、Ｓ００３−Ｙｅｓ）、ハッチドア１４が開錠される（Ｓ００４−Ｎｏ、Ｓ００５−Ｙｅｓ、グラフ１７）。しかしながら、かご停止階の人感センサ５が動作しておらず、当該階のエレベーターホールに利用者がいないため（Ｓ００６、Ｓ００７−Ｎｏ、グラフ１６ｃ）、ブザーは鳴動しない。
【００４０】
その後、ハッチドア１４を閉状態にして施錠し（Ｓ００９−Ｙｅｓ、グラフ１７）、再度走行すること無く同じかご位置でハッチドア１４が再び開錠されると（Ｔ４’’、Ｓ００４−Ｎｏ、Ｓ００５−Ｙｅｓ、グラフ１７）、制御装置７は、通信装置６を介して人感センサ５の動作状態を再度取得する（Ｓ００６）。そして、開錠のタイミングで人感センサ５が動作していれば（Ｓ００７−Ｙｅｓ）、制御装置７は、ハッチドア１４が閉状態となっている間に利用者がホールに現れたと判断し、一定時間ブザー鳴動を行い（Ｓ００８）、保守作業者、利用者の双方に通知する。その後、再度ハッチドアが施錠され（Ｓ００９−Ｙｅｓ）、エレベーターが走行すると（Ｓ００４−Ｙｅｓ）、処理はステップＳ００１において待機状態となる（Ｓ００１−Ｎｏのループ）。
【００４１】
次にＴ５の前段では、かご上からの乗降可能位置（１９ｄ）でエレベーターが停止し（Ｓ００１−Ｙｅｓ、Ｓ００３−Ｙｅｓ）、ハッチドア１４が開錠されるが（Ｓ００５−Ｙｅｓ、グラフ１７）、かご停止階の人感センサ５が動作していないため（Ｓ００６、Ｓ００７−Ｎｏ、グラフ１６ｄ）、ブザーの鳴動は行われない。
【００４２】
またＴ５の中段において、ハッチドア１４の開錠状態中に人感センサ５が動作しても、判定はハッチドア開錠の瞬間に実施するため、ブザーの鳴動は行われない。このように、ハッチドア１４が開放されている状態で保守作業者が作業を行っている場合、利用者は、この状況を視認し作業中であるものと判断することができる。よって、このような場合、利用者が急ぎ乗り込むようなことは、通常起こらないため、ブザーの鳴動が行われないことによる影響は限定的となる。
【００４３】
最後に、図５を用いて上記各実施形態で説明した制御装置７のハードウェア構成例を説明する。制御装置７は、図５に示すように従前のコンピュータと同様のハードウェア構成となっている。
【００４４】
ＣＰＵ５０１は、ＲＯＭ５０３やストレージ５０４に記憶されているプログラムを、ＲＡＭ５０２（ＲＡＭ：Random Access Memory）に展開して演算実行する中央演算処理装置である。ＣＰＵ５０１は、プログラムを演算実行することで、制御装置７の内部の各ハードウェアを統括的に制御する。ＲＡＭ５０２は揮発性メモリであり、ＣＰＵ５０１との間で直接的にデータの入出力を行うワークメモリである。ＲＡＭ５０２は、ＣＰＵ５０１がプログラムを演算実行している間、必要なデータを一時的に記憶する。
【００４５】
ＲＯＭ５０３は不揮発性メモリであり、ＣＰＵ５０１で実行されるファームウェアを記憶している。ストレージ５０４は、フラッシュメモリ、ＳＳＤ（Solid State Drive）、ハードディスクドライブなどの補助記憶装置である。ストレージ５０４は、ＣＰＵ５０１が演算実行するプログラムや、パラメータなどの制御データを不揮発的に記憶する。またストレージ５０４には、上記の動作を行うプログラムが事前に導入されているものとする。
【００４６】
接続Ｉ／Ｆ５０５は、各種周辺機器などと接続するためのインターフェイス群であり、例えば図２に示すかご位置検出装置１、ハッチドア開錠検出装置２、通知装置３、かご上エレベーター操作装置４、通信装置６などとの接続を担う。
【００４７】
通信装置６もコンピュータであり、図５に示す制御装置７と同様のハードウェア構成を有している。尚、通信装置６の接続Ｉ／Ｆには、上記の配線３０１、３０２、３０３が接続されている。この構成により、通信装置６は、上記のとおり、配線３０１を介して各階の人感センサ５の検出信号を入力し、また配線３０２を介して各階の照明装置２１のオン／オフ信号を入力し、これら各信号の値を、配線３０３を介して制御装置７に出力することができる。
【００４８】
本実施形態の報知システム１００は、上記のとおり、照明装置２１と通信装置６とが配線３０２を介して接続されているため、照明装置２１が利用者の手動によりオン（点灯）となった場合、これを検出することで、人感センサ５を介さない実装も可能となる。このように、エレベーターホール内の人の立ち入りを人感センサ５で行わず、照明装置２１のオン／オフで行う場合、図３のステップＳ００６は、「照明装置２１のオン／オフの情報を取得する」などの動作となる。またステップＳ００７は、「かご位置と照明装置２１のオンとなっている階床とが一致しているか」などの判定動作となる。また、図４において、人感センサ動作状態グラフ１６を、照明装置２１のオン／オフ信号を示すグラフと見立てることで、上記同様の説明をそのまま適用させることができる。
【００４９】
上記実施形態では、乗りかごの現在の停止位置に応じた階の照明装置が点灯状態である場合、通知装置を作動させてブザー鳴動を行う実装例について説明した。照明装置が点灯状態であるかの判定手法として、本実施形態では、人感センサによる利用者の検出と照明装置の点灯とを連動させ、この人感センサから検出信号を得ることで、点灯判定を行う実装例を説明した。また、照明装置からオン／オフ信号を直接取得し、この信号に基づき点灯判定を行う実装例についても説明した。
【００５０】
上記実施形態によれば、保守作業者がかご上作業中にホール内に利用者がいる場合、ハッチドア開錠時にブザーが鳴動し、保守作業者と利用者に対し、エレベーターが定常状態にないことを通知する。そのため、利用者が、エレベーターが通常利用できる状態であると勘違いし、ハッチドアが開いたその瞬間に乗り込もうとすることを防ぎ、保守作業者と衝突することを防ぐことができる。
【００５１】
また、保守作業者がドア開閉操作した際に、ドア開閉階のホールに利用者がいる場合は報知動作を行い、逆に利用者がいない場合は報知動作を抑制する。よって、本実施形態を適用させることで、不要な報知動作を抑制することができ、無用な騒音の発生を防ぐことができる。
【００５２】
尚、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【符号の説明】
【００５３】
１：かご位置検出装置
２：ハッチドア開錠検出装置
３：通知装置
４：かご上エレベーター操作装置
５：人感センサ
６：通信装置
７：制御装置
８：乗りかご
１３：エレベーターホール
１４：ハッチドア
２１：照明装置
１００：報知システム
２００：エレベーター
３０１、３０２、３０３：配線
【図１】
2020090387.tif 000003
【図２】
2020090387.tif 000004
【図３】
2020090387.tif 000005
【図４】
2020090387.tif 000006
【図５】
2020090387.tif 000007